(57)【要約】【課題】表示部に蛍光表示管を採用したとしても、焼き付きを防止しつつ、かつ、ユーザーニーズを満足する情報を得ることのできる給湯装置のリモコン装置を提供すること。【解決手段】本発明の給湯装置のリモコン装置は、給湯装置１の運転状態を表示する表示部５（２１）と、給湯装置１の運転指示をする操作部とを備え、操作部を無操作の状態が所定時間継続すると、表示部５（２１）に給湯装置１に関連する情報を表示し、給湯装置１の情報は、表示部５（２１）に動画として表示されることにより、焼き付きを防止するとともに、給湯装置１の情報を表示することができるので、ユーザーも適宜給湯装置に関連する情報を入手することができる。【選択図】図１
2009192133.tif 000002
【特許請求の範囲】
【請求項１】
給湯装置の運転状態を表示する表示部と、前記給湯装置の運転指示をする操作部とを備え、前記操作部を無操作の状態が所定時間継続すると、前記表示部に前記給湯装置に関連する情報を表示し、前記給湯装置の情報は、前記表示部に動画として表示されることを特徴とする給湯装置のリモコン装置。
【請求項２】
前記表示部に動画として表示される情報は、複数の給湯装置に関連する情報で構成されるとともに、前記表示部に表示する情報を選択する選択手段を備え、前記選択手段で選択可能な情報数に上限値を設けたことを特徴とする請求項１に記載の給湯装置のリモコン装置。
【請求項３】
前記表示部に表示する情報を選択しなければ、強制的に予め設定した情報を前記表示部に表示することを特徴とする請求項２に記載の給湯装置のリモコン装置。
【請求項４】
前記表示部が蛍光表示管であることを特徴とする請求項１から３のいずれか１項に記載の給湯装置のリモコン装置。
【発明の詳細な説明】
【技術分野】
【０００１】
本発明は、給湯装置を操作するリモコン装置に関する。
【背景技術】
【０００２】
従来の給湯装置を操作するリモコン装置には、発光ダイオード（ＬＥＤ）や液晶表示器（ＬＣＤ）に変えて、見易さの向上や消費電力の低減という観点から表示部に蛍光表示管を採用していた（例えば、特許文献１参照）。
【特許文献１】実開平７−２０７８６号公報
【発明の開示】
【発明が解決しようとする課題】
【０００３】
しかしながら、従来の構成のように、蛍光表示管を採用した場合には、給湯装置の沸き上げや、入浴等の長時間運転時には、リモコン装置の表示部には固定の画面表示が長時間継続してしまい、表示部に給湯装置の情報が焼き付いてしまうという課題を有していた。
【０００４】
しかし一方で焼き付きを防止するために、表示部をＯＦＦにするということも考えられるが、ユーザーも適宜、給湯装置の情報を確認したいというニーズも有している。
【０００５】
本発明は、前記従来の課題を解決するもので、表示部に蛍光表示管を採用したとしても、焼き付きを防止しつつ、かつ、ユーザーニーズを満足する情報を得ることのできる給湯装置のリモコン装置を提供することを目的とする。
【課題を解決するための手段】
【０００６】
前記従来の課題を解決するために、本発明の給湯装置のリモコン装置は、給湯装置の運転状態を表示する表示部と、前記給湯装置の運転指示をする操作部とを備え、前記操作部を無操作の状態が所定時間継続すると、前記表示部に前記給湯装置に関連する情報を表示し、前記給湯装置の情報は、前記表示部に動画として表示されることにより、表示部には、給湯装置の情報を決まった場所に固定して表示するのではなく、表示部内を動いて表示するので焼き付きを防止するとともに、給湯装置の情報を表示することができるので、ユーザーも適宜給湯装置に関連する情報を入手することができる。
【発明の効果】
【０００７】
本発明は、表示部に蛍光表示管を採用したとしても、焼き付きを防止しつつ、かつ、ユーザーニーズを満足する情報を得ることのできる給湯装置のリモコン装置を提供することができる。
【発明を実施するための最良の形態】
【０００８】
第１の発明の給湯装置のリモコン装置は、給湯装置の運転状態を表示する表示部と、前記給湯装置の運転指示をする操作部とを備え、前記操作部を無操作の状態が所定時間継続すると、前記表示部に前記給湯装置に関連する情報を表示し、前記給湯装置の情報は、前記表示部に動画として表示されることにより、表示部には、給湯装置の情報を決まった場所に固定して表示するのではなく、表示部内を動いて表示するので焼き付きを防止するとともに、給湯装置の情報を表示することができるので、ユーザーも適宜給湯装置に関連する情報を入手することができる。
【０００９】
また、ある程度の情報に絞って表示するために、表示部の消費電力を低減することができる。
【００１０】
第２の発明の給湯装置のリモコン装置は、特に第１の発明において、前記表示部に動画として表示される情報は、複数の給湯装置に関連する情報で構成されるとともに、前記表示部に表示する情報を選択する選択手段を備え、前記選択手段で選択可能な情報数に上限値を設けたことにより、ある程度限定した情報を表示するので、さらに焼き付き防止を低減することができる。
【００１１】
また、表示する内容を多くすると、焼き付きを防止しているにも関わらず、表示内容が多いために常に蛍光表示管を点灯させている必要があり、結局焼き付きを発生させてしまったり、寿命が短くなったりするため、これを防止することができる。
【００１２】
第３の発明の給湯装置のリモコン装置は、特に第２の発明において、前記表示部に表示する情報を選択しなければ、強制的に予め設定した情報を前記表示部に表示することにより、ユーザーが情報を選択しなかったとしても、無操作状態が所定時間継続すると、給湯装置に関連する情報が強制的に表示されるので、焼き付きを防止することができる。
【００１３】
第４の発明の給湯装置のリモコン装置は、特に第１〜３の発明において、前記表示部が蛍光表示管であることにより、特に焼き付きが起こりやすい蛍光表示管において焼き付きを防止することができる。
【００１４】
以下、本発明の実施の形態について、図面を参照しながら説明する。なお、この実施の形態によって本発明が限定されるものではない。
【００１５】
（実施の形態１）
本発明の実施例について、以下図面を参照しながら説明する。
【００１６】
図１は、本発明のリモコン装置の構成を示した図である。図１において、風呂や台所への湯を生成・供給する給湯装置１には、リモコン接続線２を介して第１のリモコンである台所リモコン３および、第２のリモコンである風呂リモコン４が接続されている。
【００１７】
台所リモコン３には、給湯温度や風呂温度等を表示する第１の表示部である表示部５、沸き上げ設定や音量の設定等をメニュー方式で画面を切り替えるメニュースイッチ６、メニューの項目を選択するダウンスイッチ７、アップスイッチ８、選択されたメニューの項目を確定する確定スイッチ９が配設されている。
【００１８】
そして上記スイッチが配設されている箇所のさらに下段には、給湯装置を制御するためのボタン群１０が配設されている。また、各種音声が報知されるスピーカー１１（第１の聴覚的報知手段）が設けられている。
【００１９】
一方、風呂リモコン４には、台所リモコン３と同じように、給湯温度や風呂温度等を表示する第２の表示部である表示部２１、沸き上げ設定や音量の設定等をメニュー方式で画面を切り替えるメニュースイッチ１２、メニューの項目を選択するダウンスイッチ１３、アップスイッチ１４、選択されたメニューの項目を確定する確定スイッチ１５が配設されている。
【００２０】
そして上記スイッチが配設されている箇所のさらに下段には、台所リモコン３と同じように、給湯装置を制御するためのボタン群１６が配設されている。また、各種音声が報知されるスピーカー１７（第２の聴覚的報知手段）が設けられている。
【００２１】
なお、本実施の形態では、メニュースイッチ６（１２）、ダウンスイッチ７（１３）、
アップスイッチ８（１４）、確定スイッチ９（１５）ボタン群１０（１６）など、リモコンを操作するボタン、スイッチ類をまとめて操作部としている。
【００２２】
以上のように構成された給湯装置のリモコン装置について、以下、その動作および作用について説明する。
【００２３】
図１において、台所リモコン３の表示部５の動画設定を行う場合は、台所リモコン３に設けられたメニュースイッチ６やダウンスイッチ７、アップスイッチ８を操作し、風呂リモコン４の表示部２１の動画設定を行う場合は、風呂リモコン４に設けられたメニュースイッチ１２やダウンスイッチ１３、アップスイッチ１４を操作する。本実施の形態では、台所リモコン３の動画設定について説明するが、風呂リモコン４の動画設定も同じように操作して設定することができる。
【００２４】
図２は、リモコン装置の表示部に表示する情報を選択する画面を示した図である。
【００２５】
まず、ユーザーが表示部５に動画表示する給湯装置の情報を選択するには、メニュースイッチ６およびダウンスイッチ７、アップスイッチ８を複数回押下することで、図２に示すような給湯装置の情報を選択する画面にする。
【００２６】
図３は、リモコン装置の表示部に表示する情報を選択するフローを示した図である。
【００２７】
まず、ＳＴＥＰ１では、上述したように、メニュースイッチ６やダウンスイッチ７、アップスイッチ８を複数回押下して、表示部５に動画設定画面を表示させる。
【００２８】
次に、ＳＴＥＰ２〜ＳＴＥＰ４はどの順番で操作してもよいが、本実施例では、ＳＴＥＰ２、ＳＴＥＰ３、ＳＴＥＰ４の順番で操作する。ＳＴＥＰ２では、「給湯温度の情報を動画表示するか否か」を設定するために、動画設定画面で「給湯温度」の項目を選択し、確定スイッチ９を押下する。そして、「あり」を選択すれば動画表示を行い、「なし」を選択すれば動画表示を行わない。本実施例では、「あり」を選択する。そして、ＳＴＥＰ２にて「あり」を選択すると、確定スイッチ９を押下して、ＳＴＥＰ５のメイン画面に戻る。
【００２９】
そしてＳＴＥＰ２と同様に、メニュースイッチ６やダウンスイッチ７、アップスイッチ８を複数回押下して、表示部５に動画設定画面を表示させ、ＳＴＥＰ３では、動画設定画面において「時刻情報を動画表示するか否か」を設定するために「時刻表示」を選択して、確定スイッチ９を押下する。そして、「あり」を選択すれば動画表示を行い、「なし」を選択すれば動画表示を行わない。本実施例では、「あり」を選択する。そして、ＳＴＥＰ３にて「あり」を選択すると、確定スイッチ９を押下して、ＳＴＥＰ５のメイン画面に戻る。
【００３０】
さらに、ＳＴＥＰ２、ＳＴＥＰ３と同様に、メニュースイッチ６やダウンスイッチ７、アップスイッチ８を複数回押下して、表示部５に動画設定画面を表示させ、ＳＴＥＰ４では、動画設定画面において「残湯量情報を動画表示するか否か」を設定するために「残湯量表示」を選択して、確定スイッチ９を押下する。そして、「あり」を選択すれば動画表示を行い、「なし」を選択すれば動画表示を行わない。本実施例では、「なし」を選択する。そして、ＳＴＥＰ４にて「なし」を選択すると、確定スイッチ９を押下して、ＳＴＥＰ５のメイン画面に戻る。
【００３１】
このように、動画設定画面では、ユーザーの欲しがる給湯装置に関連する情報を、予め複数個用意しておき、ユーザーが自由に選択できる構成となっている。
【００３２】
そして、ＳＴＥＰ５の状態で、リモコン装置に備えられているボタンやスイッチ類の無操作状態が所定時間経過（本実施例では、３０分を設定している）すると、ＳＴＥＰ６−１→ＳＴＥＰ６−２→ＳＴＥＰ６−３→ＳＴＥＰ６−１というように、「給湯温度」と「現在時刻」の情報が表示部５の左右を動くように動画表示される。
【００３３】
そして、表示部５が動画表示されている時に、何らかのボタンやスイッチ類を操作することによって、ＳＴＥＰ７に進み、表示部５にはメイン画面が表示される。
【００３４】
以上のように、操作部を無操作の状態が所定時間継続すると、リモコン装置の表示部に給湯装置に関連する情報を動画表示するので、表示部の焼き付き防止をすることができる。
【００３５】
また、図４は、動画設定の一実施例を示す図である。本実施例では、動画表示する給湯装置の情報の上限値を２つとしている。つまり、動画表示には２つの情報を表示させることができる。図４に示すように、例えば、図４（ａ）に示すように「給湯温度表示」→「あり」、図４（ｂ）に示すように「時刻表示」→「あり」と選択した上で、図４（ｃ）に示すように「残湯量表示」→「あり」と選択すると、ポップアップで「動画の表示は２種類までです。表示項目を選び直してください。」と注意表示が出てきて「残湯量表示」については「あり」を選択できない構成としている。
【００３６】
これは、ユーザーが選択した情報をすべて表示することになると、表示部５内いっぱいに表示することにつながり、焼き付きを防止するために表示しているにもかかわらず、情報量が多いために、ある特定の箇所では常に点灯している状態が継続する恐れがある。そのため、焼き付きが発生してしまう可能性があるので、動画表示させる情報の個数の上限値（本実施例では２つ）を設けている。
【００３７】
また、ユーザーが動画表示設定を選択しない場合には、予め選択された給湯装置の情報が強制的に表示される。つまり、初期設定では、動画表示設定は、「給湯温度表示」→「あり」、「時刻表示」→「あり」、「残湯量表示」→「なし」と設定されており、無操作状態が所定時間継続すると、ユーザーが動画表示設定をしていなくても、「給湯温度」と「時刻」の情報を動画表示するようにしている。
【００３８】
このような構成にすることで、いかなる場合においても必ず動画表示を行い、画面の焼き付きを防止することができる。
【００３９】
また、本発明の構成は、特に、表示部に蛍光表示管を用いるときに、焼き付き防止効果を発揮するが、液晶表示などにおいても、消費電力低減の観点から、本発明の構成を採用することで、使用性の高いリモコン装置を提供することができる。
【産業上の利用可能性】
【００４０】
以上のように、本発明にかかる給湯装置のリモコン装置は、風呂や台所に配設するリモコン、さらには、給湯装置だけではなく、常に何らかの情報をユーザーに与える必要のあるリモコン装置などにも適用することができる。
【図面の簡単な説明】
【００４１】
【図１】本発明の実施の形態１におけるリモコン装置の構成図
【図２】同リモコン装置の表示部に表示する情報を選択する画面を示した図
【図３】同リモコン装置の表示部に表示する情報を選択するフロー図
【図４】同リモコン装置の動画設定の一実施例を示す図
【符号の説明】
【００４２】
１  給湯装置
３  台所リモコン（第１のリモコン）
４  風呂リモコン（第２のリモコン）
５  表示部
【図１】
2009192133.tif 000003
【図２】
2009192133.tif 000004
【図３】
2009192133.tif 000005
【図４】
2009192133.tif 000006